(57)【要約】【課題】  自発光型表示パネルの光によって指針の指示部を光輝させることができる指示計器装置を安価に提供する。【解決手段】  指針２５は、指示部２５ａを有する。指針駆動手段２６は、指針２５を回動させる回動軸２６ａを有する。自発光型表示パネル２４は、指示部２５ａに指示される指標部２７と、回動軸２６ａに対応する箇所に形成された孔部２４ａとを有する。反射部材３９は、自発光型表示パネル２４の孔部２４ａから出た光Ｌを指針２５に反射させ指示部２５ａを光輝させる。反射部材３９は、孔部２４ａから出た光Ｌを反射させる反射面３９ａを有し、指針駆動手段２６の回動軸２６ａに設けられる。【選択図】図３
2006138746.tif 000002
【特許請求の範囲】
【請求項１】
指示部を有する指針と、前記指針を回動させる回動軸を有する指針駆動手段と、前記指示部に指示される指標部と前記回動軸に対応する箇所に形成された孔部とを有する自発光型表示パネルと、前記自発光型表示パネルの前記孔部から出た光を前記指針に反射させ前記指示部を光輝させる反射部材と、を有することを特徴とする指示計器装置。
【請求項２】
前記反射部材は、前記孔部から出た前記光を反射させる反射面を有し、前記指針駆動手段の前記回動軸に設けられることを特徴とする請求項１に記載の指示計器装置。
【請求項３】
前記反射部材は、前記孔部から出た前記光を反射させる反射面を有し、前記孔部に設けられた透光性材料からなることを特徴とする請求項１に記載の指示計器装置。
【請求項４】
前記反射部材で反射された前記光の色を変える色変換部材を設けたことを特徴とする請求項１に記載の指示計器装置。
【請求項５】
指示部を有する指針と、前記指針を回動させる回動軸を有する指針駆動手段と、前記指示部に指示される指標部と前記指針に光を反射させ前記指示部を光輝させる反射面からなり前記回動軸に対応する箇所に形成された孔部とを有する自発光型表示パネルと、を有することを特徴とする指示計器装置。
【請求項６】
前記孔部で反射された前記光の色を変える色変換部材を設けたことを特徴とする請求項５に記載の指示計器装置。
【請求項７】
前記自発光型表示パネルは、第一電極と有機層と第二電極とを有する積層体を基板に形成してなる有機ＥＬパネルであることを特徴とする請求項１または請求項５に記載の指示計器装置。
【発明の詳細な説明】
【技術分野】
【０００１】
本発明は、有機ＥＬ（Electro Luminescence）パネル等の自発光型表示パネルを用いた指示計器装置に関するものである。
【背景技術】
【０００２】
従来より、液晶表示パネルを文字板として用いた指示計器が提案されており、例えば、特許文献１，特許文献２に開示されている。斯かる指示計器は、図７に示すように、液晶表示パネル１，指針２，指針駆動手段３及び回路基板４を有するものであり、液晶表示パネル１には、指針駆動手段３の回動軸３ａが貫通する孔部１ａが形成されている。
【特許文献１】実公昭５５−１６７４６号公報
【特許文献２】特開２００４−１８０８７０号公報
【０００３】
液晶表示パネル１は、透明電極膜７，８が形成された一対の透光性基板９，１０に液晶１１を封入した液晶セル１２の前後面に夫々偏光部材１３，１４を貼着したものである（図８参照）。指針２は指針駆動手段３によって回動され、液晶表示パネル１に表示された指標部１５を、指針２の指示部２ａで指示することにより、物理量（例えば車両速度）を報知する。回路基板４にはバルブ等の発光素子１６が配設されており、この発光素子１６により液晶表示パネル１を透過照明する。
【発明の開示】
【発明が解決しようとする課題】
【０００４】
しかしながら、液晶表示パネル１は発光素子１６によって透過照明されるが、指針２の指示部２ａが光輝しないため、周囲が暗いときには、指示部２ａが影になったように視認されるという問題を有していた。この問題を解決するため、発光素子１６が発した光を透光性樹脂からなる導光部材によって指針２に導いて、指示部２ａを光輝させることが考えられるが、発光素子１６は回路基板４に搭載されており指針２と離れているために、前記導光部材が大きなものとなり、コストアップの要因になる虞があった。
本発明は、この問題に鑑みなされたものであり、指針の指示部が光輝する指示計器装置を比較的安価に提供するものである。
【課題を解決するための手段】
【０００５】
本発明は、請求項１に記載したように、指示部２５ａを有する指針２５と、前記指針２５を回動させる回動軸２６ａを有する指針駆動手段２６と、前記指示部２５ａに指示される指標部２７と前記回動軸２６ａに対応する箇所に形成された孔部２４ａ，２４ｃとを有する自発光型表示パネル２４と、前記自発光型表示パネル２４の前記孔部２４ａから出た光Ｌを前記指針２５に反射させ前記指示部２５ａを光輝させる反射部材３９，４９と、を有するものである。
【０００６】
また、本発明は、請求項２に記載したように、前記反射部材３９は、前記孔部２４ａから出た前記光Ｌを反射させる反射面３９ａを有し、前記指針駆動手段２６の前記回動軸２６ａに設けられるものである。
【０００７】
また、本発明は、請求項３に記載したように、前記反射部材４９は、前記孔部２４ａから出た前記光Ｌを反射させる反射面４９ａを有し、前記孔部２４ａに設けられた透光性材料からなるものである。
【０００８】
また、本発明は、請求項４に記載したように、前記反射部３９，４９材で反射された前記光Ｌの色を変える色変換部材２５ｃ，４９ｃを設けたものである。
【０００９】
また、本発明は、請求項５に記載したように、指示部２５ａを有する指針２５と、前記指針２５を回動させる回動軸２６ａを有する指針駆動手段２６と、前記指示部２５ａに指示される指標部２７と前記指針２５に光Ｌを反射させ前記指示部２５ａを光輝させる反射面からなり前記回動軸２６ａに対応する箇所に形成された孔部２４ｃとを有する自発光型表示パネル２４と、を有するものである。
【００１０】
また、本発明は、請求項６に記載したように、前記孔部２４ｃで反射された前記光Ｌの色を変える色変換部材３１ｃを設けたものである。
【００１１】
また、本発明は、請求項７に記載したように、前記自発光型表示パネルは、第一電極３５と有機層３６と第二電極３７とを有する積層体３２を基板３１に形成してなる有機ＥＬパネル２４であるものである。
【発明の効果】
【００１２】
自発光型表示パネルの光によって指針の指示部を光輝させることができ、別個の発光素子が不要であるため、指示計器装置を安価に提供することができる。
【発明を実施するための最良の形態】
【００１３】
以下、添付の図面に基づいて、本発明を車両用表示装置に応用した一実施形態を説明する。図１乃至図４は第一実施形態を示す図である。
１８はハウジングであり、このハウジング１８は前側ハウジング１９及び後側ハウジング２０を有している。ハウジング１８には３個の指示計器、即ち、速度計２１，燃料計２２，水温計２３が収納されている。速度計２１は、燃料計２２と水温計２３の間に配置されている。
【００１４】
速度計２１は、有機ＥＬパネル２４（発光型表示パネル），指針２５，ステッピングモータ２６（指針駆動手段）を有している。有機ＥＬパネル２４は、白色発光する表示セグメントからなる指標部２７及び数字表示部２８を有している。指針２５はステッピングモータ２６の回動軸２６ａにより回動され、指針２５の指示部２５ａが、有機ＥＬパネル２４の指標部２７を指示する。指針２５の指示部２５ａは傾斜反射面２５ｂを有しており、後述する反射部材によって反射された光を、指示部２５ａの先端側に更に反射させる。指示部２５ａの傾斜反射面２５ｂに対向する箇所には赤色の着色フィルタ２５ｃが貼着されている。２９は回路基板であり、この回路基板２９にステッピングモータ２６が搭載されている。
【００１５】
有機ＥＬパネル２４は、ガラス基板３１に積層体３２を形成し、封止ガラス３３を接着したものである（図３参照）。積層体３２は、第一電極３５，有機層３６，第二電極３７からなるものであり、ガラス基板３１の後面に順次積層形成されている。封止ガラス３３には凹部３３ａが形成されており、封止ガラス３３は積層体３２を覆うようにガラス基板３１に接着されている。
【００１６】
第一電極３５は、ＩＴＯ（Indium
Tin Oxide）からなるものであり、スパッタリング，イオンプレーティング等の方法でガラス基板３１に形成される。有機層３６は、正孔注入層３６ａ，正孔輸送層３６ｂ，発光層３６ｃ及び電子輸送層３６ｄからなるものである（図４参照）。第二電極３７は、アルミニウム（Al）等の金属電極からなるものであり、蒸着等の方法で形成される。
【００１７】
３９は白色の樹脂からなる反射部材であり、この反射部材３９はステッピングモータの２６の回動軸２６ａと同軸的に設けられている。反射部材３９は、略円錐形になっており、反射面３９ａを有している。有機ＥＬパネル２４には、ステッピングモータの２６の回動軸２６ａが貫通する円筒形の孔部２４ａが形成されている。この孔部２４ａは、ガラス基板３１の開口３１ａと、封止ガラス３３の開口３３ａと、からなるものである。
【００１８】
燃料計２２及び水温計２３は、文字板４２，４３及び指針４４，４５を夫々有している。文字板４２，４３は、透光性樹脂（例えばポリカーボネート）からなる基板に透光性着色層からなる指標部４６，４７を印刷形成すると共に、指標部４６，４７を除いて遮光層を印刷形成したものである。指針４４，４５はステッピングモータ（図示しない）により回動され、文字板４２，４３の指標部４６，４７を指示する。５２は保護カバーであり、この保護カバー５２は係止爪により前側ハウジング１９に係止されている。前側ハウジング１９には、有機ＥＬパネル２４，文字板４２，４３に対応する箇所に、円形の開口５３，５４，５５が夫々形成されている。
【００１９】
有機ＥＬパネル２４の有機層３６ｃが発した光の一部は、有機ＥＬパネル２４の孔部２４ａから出射し、反射部材３９の反射面３９ａによって反射され、指針２５の反射面２５ｂによって更に反射され、支持部２５ａを光輝させる。有機層３６ｃが発する光は白色であるが、着色フィルタ２５ｃを通過する際に赤色に変換され、支持部２５ａは赤色で光輝する。
【００２０】
図５は第二実施形態を示す図である。第二実施形態は、反射部材４９が第一実施形態と異なるだけであり、他の構成は第一実施形態と同様である。
反射部材４９は、アクリル等の透光性樹脂からなるものであり、有機ＥＬパネル２４の孔部２４ａに嵌合されている。反射部材４９は、円錐状の反射面４９ａを有している。有機ＥＬパネル２４の孔部２４ａから出た光は、反射部材４９の反射面４９ａで内面反射され、指針２５の反射面２５ｂによって更に反射され、支持部２５ａを光輝させる。反射部材４９の上面には着色フィルタ４９ｃが貼着されており、支持部２５ａは赤色で光輝する。
【００２１】
図６は第三実施形態を示す図である。第三実施形態は、有機ＥＬパネル２４の孔部２４ｄの形状が第一実施形態と異なるだけであり、他の構成は第一実施形態と同様である。
有機ＥＬパネル２４の孔部２４ｄは、ガラス基板３１の開口３１ｄと、封止ガラス３３の開口３３ｄとからなるものであり、円錐形状の反射面になっている。有機ＥＬパネル２４の有機層３６ｃが発した光の一部は、有機ＥＬパネル２４の孔部２４ｄによって反射され、指針２５の反射面２５ｂによって更に反射され、支持部２５ａを光輝させる。ガラス基板３１の上面には着色フィルタ３１ｃが貼着されており、支持部２５ａは赤色で光輝する。
【００２２】
各実施形態によれば、比較的小さい反射部材３９，４９または、孔部２４ｄからなる反射面によって指針２４の指示部２４ａを光輝させることができる。なお、本発明は、各実施形態に限定されるものではなく、種々の変形が可能であり、例えば、発光型表示パネルは蛍光表示管（ＶＦＤ）であっても良い。
【図面の簡単な説明】
【００２３】
【図１】本発明の第一実施形態を示す車両用表示装置の正面図。
【図２】同上実施形態を示す車両用表示装置の断面図。
【図３】同上実施形態を示す要部拡大断面図。
【図４】同上実施形態を示す有機層の拡大断面図。
【図５】本発明の第二実施形態を示す要部拡大断面図。
【図６】本発明の第三実施形態を示す要部拡大断面図。
【図７】従来例を示す断面図。
【図８】同上従来例を示す拡大断面図。
【符号の説明】
【００２４】
２４    有機ＥＬパネル（自発光型表示パネル）
２４ａ  孔部
２４ｃ  孔部
２５    指針
２５ａ  指示部
２５ｃ  着色フィルタ（色変換部材）
２６    ステッピングモータ（指針駆動手段）
２６ａ  回動軸
２７    指標部
３１ｃ  着色フィルタ（色変換部材）
３５    第一電極
３６    有機層
３７    第二電極
３９    反射部材
３９ａ  反射面
４９    反射部材
４９ａ  反射面
４９ｃ  着色フィルタ（色変換部材）
【図１】
2006138746.tif 000003
【図２】
2006138746.tif 000004
【図３】
2006138746.tif 000005
【図４】
2006138746.tif 000006
【図５】
2006138746.tif 000007
【図６】
2006138746.tif 000008
【図７】
2006138746.tif 000009
【図８】
2006138746.tif 000010